(57)【要約】【課題】光ディスクそのものが入手できない場合においても、不具合が生じた光ディスクの不具合の原因を特定する技術を提供する【解決手段】追記又は書換が可能である光記録媒体は、ロット番号を記録する領域を有する。又、光記録媒体記録再生装置は、光記録媒体の所定領域に記録されたロット番号を再生し、ロット番号を記憶する。又、光記録媒体の解析方法は、不具合が生じた光ディスクのロット番号を通報する通報処理と、不具合を知らせる対象を選択する通知対象の選択処理と、ロット番号に基づき不具合の解析をおこなう解析処理と、を有する。このように、光記録媒体にロット番号が付与されているので、このロット番号に基づき、光記録媒体に不具合が生じた場合に容易にその解析を行うことができる【選択図】図５
2009015992.tif 000002
【特許請求の範囲】
【請求項１】
追記又は書換が可能な光記録媒体において、
該光記録媒体のロット番号が記録された所定領域を有することを特徴とする光記録媒体。
【請求項２】
ロット番号が記録された所定領域を有する光記録媒体を記録再生する光記録媒体記録再生装置であって、
前記光記録媒体記録再生装置は、
前記光記録媒体の前記所定領域に記録された前記ロット番号を再生し、
前記ロット番号を記憶することを特徴とする光記録媒体記録再生装置。
【請求項３】
光記録媒体の解析方法であって、
前記光記録媒体のロット番号を通報する通報処理と、
前記通報をする対象を選択する通知対象の選択処理と、
前記ロット番号に基づき前記光記録媒体の解析をおこなう解析処理と、を有する光記録媒体の解析方法。
【発明の詳細な説明】
【技術分野】
【０００１】
本発明は、光記録媒体、光記録媒体記録再生装置及び光記録媒体の解析方法に関する。
【背景技術】
【０００２】
従来、光記録媒体を用い光学的に信号の記録及び再生を行う光記録再生装置の１種として、ディスク形状とした光記録媒体（以下、光ディスクと称する）を用いる。このような光ディスクとしては、追記が可能なディブイディアール（DVD-R）、書換が可能なディブィディーアールダブリュ（DVD-RW）等がある。このような光ディスクに対して記録及び／又は再生を行う光記録媒体記録再生装置（以下、光ディスク装置と称する）が産業上、広範囲に使用されている。光ディスク装置では、光ディスクを挿入した直後に光ディスク判別処理および起動時調整処理が行われる。ここで起動時調整処理とは、光ディスクの挿入・判別後に自動的に行われるものであって、光ディスクの記録・再生に最適なチューニングを行うものである。起動時調整処理においてチューニング対象となる光ディスク装置のパラメータとしては、フォーカスサーボおよびトラッキングサーボのゲイン値、光ピックアップの光ディスク面に対する光軸傾き（スキュー）、記録パワーなどがある。これらのパラメータ調整の全ては挿入された光ディスクから得られる情報に基づいてなされる。
【０００３】
図７は、起動時調整処理の概要を示すフローチャートである。ステップＳＴ１０では光ディスクを挿入する。ステップＳＴ１１ではサーボ調整を行う。サーボ調整の内容としては、サーボゲイン、スキューに関しては、サーボゲイン、スキューを少しずつ変化させ、光ディスクから得られる再生波形を評価して、評価基準を満たす範囲のパラメータがセットされる。ステップＳＴ１２では、最適な記録パワーの制御（Optimum Power Control：OPC）を行う。ステップＳＴ１２で行われるOPCの内容は、光ディスク上のあらかじめ定められたエリアにテスト記録をして読み取りRF変調度を評価して、評価基準を満たす範囲のパラメータがセットされるのが一般的である。そして、ステップＳＴ１３でスタンバイ（待ち）状態となり、次の指令を待つ。
【０００４】
起動時調整処理の目的は、光ディスクが有している種々の特性の光ディスク間におけるばらつきを光ディスク装置で吸収することである。光ディスクの特性としては、反射率、機械的変動（反り）、記録面を構成する各層の厚さといったものがある。これらはサーボ、再生、記録の品質に影響してくるもので、光ディスク装置の側で適切なチューニングがなされないと記録・再生に悪影響が生じ、市場不良に繋がる虞がある。ところで上述した光ディスクの特性のうち、同一の光ディスク内においても変動する性質のものもある。例えば、光ディスク内における内外差、書き換え型光ディスクにおける上書き回数、またその２つの組み合わせた差などであり、これらも光ディスクの特性の1つと捉えることができる。
【０００５】
上記に列挙した光ディスク特性ばらつきは、その光ディスクの同一ロット番号（No.）（製造管理No.）内でのばらつきと、異なるロット間でのばらつきで性質が異なる。図８は、光ディスクのばらつきの概念を示す図である。図８に示すように、通常、同一ロット内では比較的小さい範囲に収まる正規分布状の傾向を各々の特性のばらつきは有するものである。例えば、各々が同一のロットである、ロットＡ、ロットＢ、ロットＣの中ではばらつきは小さい。ここで、評価の対象となる特性は、例えば、反射率、記録感度、内外周差、上書き特性である。しかしながら、異なったロット間の特性の差は一般的に同一ロット間のそれよりも大きく、全体としてはロット毎に正規分布の山が散らばるような傾向となる。ここで、ロットNo.は、例えば、日単位で管理され、同一ロットNo.の製品では、同一のスタンパを用い、また、製造時の環境の状態も類似したものとなっている。したがって、異なるロット間で特性の傾向に差が生じる要因としては、スタンパの交換の実施、製造時の環境の状態などの外的要因に細かく起因する部分が多いと考えられるが、統計的な特徴を見出すことは困難である。
【０００６】
上述したように起動時調整処理を用いても、上述した述べた光ディスク特性のばらつきのうち、同一光ディスク内の変動要因のばらつき（上書き回数、内外周差）に対しての対処が困難であるという問題を有している。すなわち、従来から用いられている起動時調整処理は光ディスク挿入時にのみ行うため、書き換え型光ディスクの1回の起動時調整処理内で何回上書きが行われるかは光ディスクを使用するユーザが決定する事項であり、光ディスク装置がこれを決定できない。一方、図９は、光ディスクが書換型光ディスクである場合の上書き回数に対する最適記録パワー及び最適トラッキングゲインを示す図である。図９を参照すると、最適記録パワーおよび最適サーボゲインはロット毎にばらつきの傾向が大きく異なることが分かる。そして、最適記録パワーおよび最適サーボゲインが上書き回数に応じてばらついた場合には、起動時調整処理では本質的に吸収は困難であることがわかる。
【０００７】
図１０は、内外周の位置に対する最適記録パワーを示す図である。一方、OPCは光ディスクのフォーマットに従って、実施する箇所が決められている。例えば、DVD-R,DVD-RWでは最内周にOPC専用領域が定義されている。このため最適記録パワーの内外周差が大きくなると、ディスク内の全領域で最適な記録状態を保つことが困難になるという問題も有している。図９、図１０を参照して説明した、上述の問題が生じる原因は、光ディスクの記録面を構成する記録層の状態（厚さなど）に依存するものである。これらは、光ディスク装置で記録をすることなく得ることができる情報である反射率やスキューとの相関を見出しにくいため、記録前のディスクから記録層の状態に関する情報を得ることは困難と言える。記録層の状態に基づく変動要因のばらつきは、通常では光ディスク装置のサーボ・記録・再生の性能マージンで吸収できる範囲に収まるべきであるが、実際には光ディスク装置が有する記録再生マージンだけでは対処できる範囲を越えるばらつきを有する光ディスクが市場に存在している場合もあり得る。
【０００８】
上述した起動時調整処理以外のアプローチでこうした記録層の変動要因ばらつきに対処する技術として、再生中において、再生バッファに再生情報が蓄積されて、再生の動作が休止状態になった時に、再びゲイン調整を行う技術が知られている（特許文献１を参照）。又、記録中に記録バッファが蓄積されて記録休止状態になった時にディスクの未使用領域にテスト信号を記録して、評価する技術が知られている（特許文献２を参照）。これらはいずれも本来動作休止中の期間に処理を追加しようとするものであるため、消費電力の増大に繋がる虞がある。
【０００９】
又、このような光ディスク特性の問題を放置しておくと、これを原因として光ディスク装置において記録及び／又は再生が正常に行えない事態が拡大する虞があり、このような光ディスクを特定して、その解析をおこない原因究明をすることが急務となる。しかしながら、記録再生の特性に不具合が発生した光ディスクはユーザの手元にあり、その光ディスクを、光ディスク及び／又は光ディスク装置の製造者が入手して、解析できない場合が多いのが実情である。
【特許文献１】特開平０８−１８０６２４号公報
【特許文献２】特開２００１−２０９９４０号公報
【特許文献３】特開２００１−２８３４４３号公報
【発明の開示】
【発明が解決しようとする課題】
【００１０】
本発明は、上述した問題を解決し、光ディスクそのものが入手できない場合においても、不具合が生じた光ディスクの不具合の原因を特定する技術を提供することを目的とする。
【課題を解決するための手段】
【００１１】
本発明の光記録媒体は、追記又は書換が可能な光記録媒体において、該光記録媒体のロット番号が記録された所定領域を有する。
【００１２】
本発明の光記録媒体記録再生装置は、ロット番号が記録された所定領域を有する光記録媒体を記録再生する光記録媒体記録再生装置であって、前記光記録媒体記録再生装置は、前記光記録媒体の前記所定領域に記録された前記ロット番号を再生し、前記ロット番号を記憶する。
【００１３】
本発明の光記録媒体の解析方法は、光記録媒体の解析方法であって、前記光記録媒体のロット番号を通報する通報処理と、前記通報をする対象を選択する通知対象の選択処理と、前記ロット番号に基づき前記光記録媒体の解析をおこなう解析処理と、を有する。
【００１４】
本発明の光記録媒体は、追記又は書換が可能である。そして、この記録媒体には、ロット番号を記録する領域を有する。又、本発明の光記録媒体記録再生装置は、光記録媒体の所定領域に記録されたロット番号を再生し、ロット番号を記憶する。又、本発明の光記録媒体の解析方法は、光記録媒体のロット番号を通報する通報処理と、通報の対象を選択する通知対象の選択処理と、ロット番号に基づき光記録媒体の解析をおこなう解析処理と、を有する。このように、光記録媒体にロット番号が付与されているので、このロット番号に基づき、光記録媒体に不具合が生じた場合に容易にその解析を行うことができる。
【発明の効果】
【００１５】
本発明によれば、光ディスクそのものが入手できない場合においても、光記録媒体に付与されたロット番号に基づいて光ディスクの不具合の原因を特定する技術を提供することができる。
【発明を実施するための最良の形態】
【００１６】
以下、図面に沿って発明を実施するための最良の形態である実施形態について説明をする。
【００１７】
図１は、光記録再生装置の一種類である光ディスク装置5の構成を示す図である。光ディスク装置5は、ユーザからの指令を光ディスク装置5への入力信号として受け付けるとともに、光ディスク装置5の状態をユーザに通知するユーザインターフェース部（Ｕｓｅｒ I/F）51と、光ディスク装置5の全体の制御を行うシステム制御部52と、システム制御部52に接続されるプログラムメモリ（Program Memory）、カメラやディスプレイなどの入出力機器と記録再生装置とを中継するオーディオビデオ（ＡＶ）インターフェース部（Video/Audio I/F）54と、インターフェース部54に接続されるスクリーンメモリ55と、映像音声データの圧縮及び伸張を行うコーデック部（Codec）56と、データフローを制御するデータ（Data）制御部58と、光学記録媒体への記録再生を行う光ディスクドライブ機構部513と、光ディスクドライブ機構部513を制御するドライブ（Drive）制御部510と、映像データを出力する表示部514と、音声信号を出力するスピーカとを備える。インターフェース部54、コーデック部56及びドライブ制御部510はシステムコントロールバス（System Control Bus）によって相互に接続されている。
【００１８】
ユーザインターフェース部51は、キー入力ボタン、スイッチ（いずれも図示せず）などで形成される入力部を有し、ユーザからの指令を受け付けるとともに、発光素子、音響素子（いずれも図示せず）などで形成される出力部を有して光ディスク装置5の状態をユーザに通知する。
【００１９】
システム制御部52は、作業用ワークメモリとしてのプログラムメモリ（Program Memory）53にシステム制御プログラムやファイルシステムを展開して記録再生装置の各ブロックに制御信号を出力する。制御信号の伝送には、システムコントロールバス（System Control Bus）512を用いる。
【００２０】
図２は、ＡＶインターフェース部54の構成を示す図である。ＡＶインターフェース部54は、映像入力部61、音声入力部62、映像出力部63、音声出力部64から構成される。映像入力部61はカメラや外部機器などからの映像データを入力し、音声入力部62はマイクや外部機器などからの音声を入力する。映像出力部63は液晶パネルやビューファインダなどへ映像データを出力し、音声出力部64はスピーカなどへ音声信号を出力する。ＡＶインターフェース部54は、カメラで撮影した映像データ及びマイクで取得した音声信号をリアルタイムでビューファインダやスピーカに出力する。ビューファインダに画像を出力する際、ＡＶインターフェース部54は、出力する画像にスクリーン画像を重ね合わせる。
【００２１】
再び図１に戻り説明をする。上述したスクリーン画像は、スクリーンメモリ（Screen Memory）55に格納されている。スクリーン画像には、文字やアイコンが描画されるようになされている。
【００２２】
次いで、データの記録時におけるコーデック部56、データ制御部58、ドライブ制御部510について説明する。ＡＶインターフェース部54は、カメラやマイクから取得した映像音声データをコーデック部56に出力する。コーデック部56は、入力した映像音声データを圧縮する。ここでは、映像音声データの圧縮方法としてＭＰＥＧ（Moving Picture Expert Group）方式を用いる。コーデック部56は、コーデックメモリ（Codec Memory）57を有する。コーデックメモリ57は、映像データのフレーム又はフィールド間の差分信号圧縮を記憶する。
【００２３】
データ制御部58は、コーデック部56とドライブ制御部510との間のデータフローを制御する。データ制御部58とドライブ制御部510とは、非連続なハンドシェイクプロトコルに則り映像音声データの送受信を行う。このプロトコルにおいて、データ制御部58は、コーデック部56から入力したデータをデータメモリ（Data Memory）59に蓄積し、データメモリ59にある程度のデータが蓄積されると、データメモリ59に蓄積されたデータをドライブ制御部510に転送する。ドライブ制御部510は、内蔵するドライブメモリ（Drive Memory）511にデータを格納した後、光ディスクドライブ機構部513を制御してドライブメモリ511に格納された映像音声データを光記録媒体である光ディスクに書き込む。
【００２４】
図３は、ドライブ制御部510及び光ディスクドライブ機構部513の構成を示す図である。ドライブ制御部58は、ドライブメモリ74、ＤＳＰ72、ＣＰＵ71、ドライブ補助記憶75、各モータを駆動させるモータ制御部76を備える。モータ制御部76は、フォーカスモータ712を制御するフォーカス制御部77、トラッキングモータ713を制御するトラッキング制御部78、スレッドモータ714を制御するスレッド制御部79、チルトモータ715を制御するチルト制御部710、スピンドルモータ716を制御するスピンドル制御部711を備える。ディエスピー（ＤＳＰ）72は、光ディスクドライブ機構部513の記録動作を制御する。ドライブ補助記憶75には、シーピーユー（ＣＰＵ）71が接続されており、光ディスクドライブ機構部513を駆動するためのプログラムおよび各種パラメータが保存されており、電源投入時にこれが読み出される。
【００２５】
光ディスクドライブ機構部513は、光学記録媒体にレーザを照射するレーザ発光部718、光学記録媒体からの反射光を受光する反射光受光部719、レンズの焦点深度を調節するフォーカスモータ712、レーザをトラックに追従させるトラッキングモータ713、ピックアップをディスクの直径方向に移動させるスレッドモータ714、レンズの傾きを調節するチルトモータ715、ディスクを回転させるスピンドルモータ716を備える、
【００２６】
ドライブ制御部58のＤＳＰ72は、光ディスクドライブ機構部513のレーザ発光部718、フォーカス制御部77、トラッキング制御部78、スレッド制御部79、チルト制御部710、スピンドル制御部711の閉ループ制御を行う。具体的に説明すると、ＤＳＰ72は、レーザ発光部718のＲＦ（Radio Frequency）アンプ73を介してレーザ発光部718の出力を制御し、反射光受光部719からのトラッキングエラー信号を元にフォーカス制御部77、スレッド制御部79及びチルトモータ715を制御し、反射光受光部719からのフォーカスエラー信号を元にフォーカス制御部77を制御する。また、ＤＳＰ72は、スピンドルモータの周波数発生器717からスピンドルモータ716の回転周波数を示す矩形波を入力し、この回転周波数に基づいてスピンドル制御部711を制御する。
【００２７】
ドライブ制御部58のＣＰＵ71はドライブメモリ74を逐次監視し、ドライブメモリ74に蓄積された映像音声データの容量が一定量を超えると、ＤＳＰ72を介して記録動作開始を命令し、記録動作を開始する。またドライブメモリ74に蓄積された映像音声データの容量が一定量より低くなると光ディスクドライブ機構部513の記録動作を一旦停止し、記録待機状態に移行する。
【００２８】
次いで、再生時におけるコーデック部56、データ制御部58、ドライブ制御部510の動作を説明する。ドライブ制御部510のＤＳＰ72は、ＲＦアンプ73を介してレーザ発光部718を駆動して、光学記録媒体にレーザを照射する。反射光受光部719は、光ディスクからの反射光に基づく信号をＤＳＰ72に出力する。
【００２９】
ＤＳＰ72は、反射光受光部719からの信号をデジタルデータに変換する。このデータは、圧縮された映像音声データである。ＤＳＰ72は、このデータをドライブメモリ74に格納する。ＣＰＵ71は、ドライブメモリ74に格納された映像音声データをデータ制御部58に転送する。データ制御部58は、ドライブ制御部510から入力した映像音声データをデータメモリ59に格納する。コーデック部56は、圧縮された映像音声データをデータメモリ59から読み出し、読み出した映像音声データを伸張する。
【００３０】
データ制御部58は、コーデック部56とドライブ制御部510との間のデータフローを制御する。データ制御部58は、ドライブ制御部510が読み出した映像音声データをある程度蓄積すると、ドライブ制御部510に対してデータの読み取りを停止させる制御信号を出力する。ドライブ制御部510がデータの読み取りを停止している間、データ制御部58は、蓄積した映像音声データをコーデック部56に出力する。コーデック部56が映像音声データを伸張している間、光ディスクドライブ機構部513は、「読出待機」状態になる。
【００３１】
データ制御部58は、データメモリ59に蓄積している映像音声データをコーデック部56に出力すると、ドライブ制御部510にデータの読み取りを再開させる制御信号を出力し、これにより光ディスクドライブ機構部513が読出動作を再開する。
【００３２】
（ロットNo.について）
本実施形態は、ロットNo.については２つの特徴を有している。第１の特徴は、光ディスク製造時にロットNo.をその光ディスクに記録することである。第２の特徴は、そのロットNo.が記録された光ディスクをユーザが利用する際に、この光ディスクに記録されたロットNo.を光ディスク装置が読み出し、それを記憶、利用することである。図１〜図３に図示する構成を有する光ディスク装置で、読み出し、記憶、利用を行なうことができる。
【００３３】
ディスク製造時にロットNo.を記録するに際しての記録方法は一般的な光ディスク記録と同様の方法で良い。また記録する領域は光ディスクフォーマットで予約済の箇所でなければどこを利用しても良い。例えば、記録する箇所としては、光ディスクのブック（Book）規定にて現状未使用（Reserved）となっている領域などがユーザの使用時に記録されない箇所を自由に選択できる。ここで、ロットNo.を一般的な光ディスク記録と同様の方法によって記録するのは以下の理由によるものである。例えば、ピット、グルーブ等の形状を変化させてプリフォーマットによってロットNo.を記録する場合には、日単位でロットNo.を付与する場合には、その対応が困難であること、また、ロットNo.以外のそのロットに特有な光ディスクの特性パラメータを同時に記録する場合には、スタンピング工程の後の工程である記録層の製膜と検査の工程を経て、光ディスクに事後的にそれらの情報を記録する必要があることからである。又、ロットNo.には、光ディスク製造装置が複数台ある場合には、光ディスク製造装置を特定する情報を含ませ、さらに、日単位ではなく、時間単位で製造時を特定する情報を含ませるようにもできる。
【００３４】
光ディスクに記録されたロットNo.を光ディスク装置5が読み出し、それを記憶、利用するための前提としては、ドライブ制御部510には、市場に出ている既知のロットNo.の光ディスクに関して、そのロットNo.毎に最適な各サーボゲイン値と記録パワー値のシフト量の対応が示されたテーブルを、予めドライブ補助記憶75にデータとして記憶させておくことが必要とされる。ここで言う、ロットNo.毎に最適な各サーボゲイン値と記録パワー値のシフト量、とは、そのロットの内外周差および上書き回数（書き換え型光ディスクのみについて）の傾向までを加味したものである。
【００３５】
図４は、実施形態の起動時調整処理の概要を示すフローチャートである。図４に示す手順では、背景技術として図７に示した手順と較べると、ロットNo.読み取りの処理（ステップＳＴ２２）、読み取ったロットNo.の保持の処理（ステップＳＴ２３）、読み出したロットNo.情報に基づいたサーボゲインシフトの処理（ステップＳＴ２４）、および記録パワーシフトの処理（ステップＳＴ２６）が追加されている。
【００３６】
図４に示す実施形態の起動時調整処理は以下のように行なわれる。ステップＳＴ２０では、光ディスクを光ディスク装置に挿入する。ステップＳＴ２１では、サーボ調整をして、光ディスクから情報の再生ができるようにする。ステップＳＴ２２では、ロットNo.を光ディスクより読み取る。ステップＳＴ２３では、読み取ったロットNo.を、ユーザが使用した光ディスクの履歴として、ドライブ補助記憶75（図３を参照）に記憶する。ステップＳＴ２４では、ドライブ補助記憶75から読み出されたロットNo.毎の最適なるサーボゲイン値に基づいて、ＣＰＵ71は各々のサーボ系統を最適化する。ステップＳＴ２５では、ＣＰＵ71は記録パワー値を最適化する。ステップＳＴ２６では、ドライブ補助記憶75から読み出されたロットNo.毎の最適なる最適記録パワー値に基づいて、ＣＰＵ71は記録パワー値を最適化する。
【００３７】
図５は、ロットNo.を利用する場合の別の実施形態をフローチャートで示すものである。この実施形態では、挿入された光ディスクのロットNo.情報を、履歴としてドライブ補助記憶75に記憶させて、それを市場不良解析に用いるものである。すなわち、光ディスクそれ自体は、ユーザが他者に対して秘密にしたい情報である場合が多いが、光ディスク装置5がどのような調整をしたか、どの様な、ゲインの設定等で、記録再生の動作に不具合を生じたかについては、秘匿する必要性が低く、これらのデータであれば、光ディスクの製造者または光ディスク製造者に提供できる場合が多いと考えられる。したがって、ユーザから提供を受けた、光ディスク装置5または、取り外しが可能とされるドライブ補助記憶75にどのように、光ディスク装置5のゲイン設定が行われたかとともに、ロットNo.を記憶しておき、これらの情報に基づく解析を行って、光ディスクの特性の改善又は光ディスク装置の性能改善を行うことができる。
【００３８】
図５に沿って、説明をする。ステップＳＴ３０では、ユーザが、市場において購入した、光ディスクと光ディスク装置とを用いて、記録再生を行い、不具合が発生したと認識する。ステップＳＴ３１では、光ディスク装置の修理窓口など（出張修理で、技術者がユーザのところに出向く場合も含む）において、光ディスク装置5のドライブ補助記憶75に記憶されている不具合発生時において使用していた光ディスクのロットNo.を摘出する。ステップＳＴ３２では、光ディスク装置の製造者はロットNo.情報に基づき、原因が特定できる場合には原因を特定する。そして、ステップＳＴ３３では、光ディスク装置の製造者は、この原因に基づく光ディスク装置の不具合が発生しないような制御の方法の改善を行い、必要であれば、ユーザに対して、改善策を組み込んだドライブ補助記憶75を提供する。
【００３９】
ステップＳＴ３２で不具合の原因を特定できた場合で光ディスクに不具合の原因があると判断する場合、又は、光ディスク装置に不具合の原因を見出すことができない場合、さらには、無条件に、光ディスク製造者に対して、不具合の光ディスクのロットNo.を通知する。ステップＳＴ３４では、光ディスク製造者は、ロットNo.の情報を基に、当該ロットから所定の数量割合で抜き出し保存をしておいた、当該ロットNo.のサンプルについて、原因の調査を行い、又は、追跡調査、当該ロットNo.の製品の出荷を中止などの処置を取る。又、原因の究明ができた場合には、その後の製造工程を改善する措置を取る。又、ドライブ補助記憶75にロットNo.以外の不具合発生時における情報、例えば、不具合発生時のゲインの設定値、不具合が発生した位置（内周か外周か）等が記憶されている場合には、これらの情報も原因を特定するために使用することができる。
【００４０】
なお、ステップＳＴ３０からステップＳＴ３１、ステップＳＴ３１からステップＳＴ３２、ステップＳＴ３２からステップＳＴ３４への移行については、人を介することなく、インターネット、電話回線、又は、専用電話回線を通じて自動的に行うようにしても良い。
【００４１】
図６は、ユーザと、光ディスク製造者と、光ディスク装置製造者との間でロット番号（No.）を共有するシステムを、電話回線によって構成する一例を示す図である。ユーザ側においては、光ディスク装置5がモデム１１０を介して電話回線に接続されており、メインサーバ側では、サーバ１５０がモデム１２０を介して電話回線に接続されており、光ディスク装置製造者側においては、サーバ１６０がモデム１３０を介して電話回線に接続されており、光ディスク製造者側においては、サーバ１７０がモデム１４０を介して電話回線に接続されている。
【００４２】
ユーザが、不具合を認識して所定の電話番号をダイヤルするか、不具合が生じた場合に光ディスク装置が自動的に所定の電話番号をダイヤルして、不具合が生じたロットNo.をメインサーバ側のサーバ１５０に知らせる（不具合の通報処理）。
サーバ１５０は、不具合が生じたロットNo.を記憶するとともに、光ディスク製造者又は光ディスク装置製造者のいずれにこの情報を知らせるか、又は、光ディスク製造者及び光ディスク装置製造者の双方にこの情報を知らせるか、を判断し、あるいは、無条件で両者に知らせるようにする（通知対象の選択処理）。
サーバ１６０は、モデム１３０を介して、不具合のロットNo.を受け取り、記憶する。そして、このロットNo.に基づき不具合の解析をおこなう（ロットNo.に基づく解析処理）。
サーバ１７０は、モデム１４０を介して、不具合のロットNo.を受け取り、記憶する。そして、このロットNo.に基づき不具合の解析をおこなう（ロットNo.に基づく解析処理）。
【００４３】
図６では、メインサーバを設けサーバ１５０が、通知対象の選択処理を行うようにしたが、光ディスク装置製造者が有するサーバ１６０又は光ディスク製造者が有するサーバ１７０のいずれかに、サーバ１５０の有する機能を持たせ、光ディスク装置製造者又は光ディスク製造者のいずれかが有するサーバから他の製造者に対して、ロットNo.等を通知するようにしても良く、さらには、通知対象の選択処理を行うことなく、各々のモデムを介して、ユーザのサーバから光ディスク装置製造者が有するサーバ１６０及び光ディスク製造者が有するサーバ１７０の両方にロットNo.等を通知するようにしても良い。
【００４４】
実施形態の変形例としては、ディスク製造時にロットNo.以外の情報をその光ディスクに記録しておく手法が考えられる。この場合、ディスク製造側は、ロット毎に内外周差および上書き回数の特性をその都度測定、吟味し、その結果決定された最適パラメータを情報としてロットNo.と共に光ディスクに記録する。光ディスク装置側は起動時調整直後にこの情報を読み出し、ユーザ記録前に設定すれば良い。特にDVD-Rにおいては、光ディスク製造側でプリレコードすることがBook規定として定められている「Prerecorded Area」を使用することも可能である。この場合事前に記録される情報としては、光ディスク製造者が測定する光学系とユーザが利用する光ディスク装置の光学系とに共通して有効なパラメータを吟味して選ぶ必要がある。記録パワーなどは共通するパラメータとして有効と言える。ロットNo.以外に記録する内容を増やしたくない場合は、記録パワーを代表値ごとに大きく量子化してロットNo.に情報として含める手法も有効である。上記変形例の手法であれば、未知の光ディスクのロットについても適用が可能である。
【００４５】
上述の通り、ユーザの利用状況下において、光ディスク装置が光ディスクのばらつきを原因として市場不良を発生した場合、従来は、その光ディスクを入手できず原因の特定が困難になってくる場合がある。背景技術として示した通り、光ディスク間における、記録又は再生の最適パラメータのばらつきは一般的にそのロットNo.毎にまとまっている傾向があるので、ロットNo.だけでも光ディスクの製造者又は光ディスク装置の製造者が確実に知ることができれば、解析して、原因特定を特定するための有力な情報となる。原因特定後は、光ディスク装置においてその対策をして、そのような不具合が発生したロットNo.の光ディスクも使いこなすような改善を施すことができる。又、光ディスクの製造者が、原因特定後は、光ディスクのパラメータを改善して、よりばらつきの少ない光ディスクを供給するなどのフィードバックが期待できる。
【００４６】
そして、従来技術よりも広範な種類（内外差、上書き回数）の光ディスクのバラツキをカバーできる性質を持つ起動時調整処理が実現できる。また上記手法は既知の光ディスクのロット情報を予め装置に持たせておくことが前提となるため、将来製造される光ディスクに対しては用いることができないが、ロットNo.の履歴を保持しておくことは、市場不良の解析に対して有効な情報となる。特にユーザ都合によって市場不良を発生させた当該光ディスクが不明になる（ロットNo.が判らない）ケースは往々にして存在するので、そのようなケースに対してロットNo.履歴情報は効果を発揮する。これは既知ロットNo.についても同様である。
【図面の簡単な説明】
【００４７】
【図１】光ディスク装置の構成を示す図である。
【図２】ＡＶインターフェース部の構成を示す図である。
【図３】ドライブ制御部の構成を示す図である。
【図４】実施形態の起動時調整処理の概要を示すフローチャートである。
【図５】ロットNo.を利用する場合の実施形態をフローチャートで示すものである。
【図６】ユーザと、光ディスク製造者と、光ディスク装置製造者との間でロット番号を共有するシステムを、電話回線によって構成する一例を示す図である。
【図７】背景技術の起動時調整処理の概要を示すフローチャートである。
【図８】光ディスクのばらつきの概念を示す図である。
【図９】光ディスクが書換型光ディスクである場合の上書き回数に対する最適記録パワー及び最適トラッキングゲインを示す図である。
【図１０】内外周の位置に対する最適記録パワーを示す図である。
【符号の説明】
【００４８】
5  光ディスク装置、  51  ユーザインターフェース部、  52  システム制御部、  54  インターフェース部、  56  コーデック部、  57  コーデックメモリ、  58  データ制御部、  59  データメモリ、  510  ドライブ制御部、  511  ドライブメモリ、  513  光ディスクドライブ機構部、  514  表示部  61  映像入力部、  62  音声入力部、  63  映像出力部、  64  音声出力部、  73  アンプ、  74  ドライブメモリ、  75  ドライブ補助記憶、  76  モータ制御部、  77  フォーカス制御部、  78  トラッキング制御部、  79  スレッド制御部、  711  スピンドル制御部、  712  フォーカスモータ、  713  トラッキングモータ、  714  スレッドモータ、  715  チルトモータ、  715  チルト制御部、  716  スピンドルモータ、  717  周波数発生器、  718  レーザ発光部、  719  反射光受光部、  110、120、130、140  モデム、  150、160、170  サーバ
【図１】
2009015992.tif 000003
【図２】
2009015992.tif 000004
【図３】
2009015992.tif 000005
【図４】
2009015992.tif 000006
【図５】
2009015992.tif 000007
【図６】
2009015992.tif 000008
【図７】
2009015992.tif 000009
【図８】
2009015992.tif 000010
【図９】
2009015992.tif 000011
【図１０】
2009015992.tif 000012